(57)【要約】【課題】正確な再生速度制御が可能なように映像データを記録でき、映像データの正確な再生速度制御ができる装置及び方法を提供する。【解決手段】記録装置は、受信時刻表示タイマー１０と、受信時刻情報をＴＳパケットに付加するタイムスタンプ付加部１１と、ピクチャ種別解析／フラグ付加部１２と、受信時刻情報及びピクチャ種別情報が付加されたＴＳパケットを記録媒体１４に記録するデータ記録部１３とを備える。再生装置は、記録媒体１４からデータを読み出すデータ読み出し部１５と、ピクチャ種別情報に基づいて再生するＴＳパケットを選択するピクチャ抽出部１６と、受信時刻情報を解析するタイムスタンプ抽出部１７と、バッファ１９と、受信時刻情報に応じた時刻にＴＳパケットをバッファ１６から出力させて再生時刻を制御する再生速度制御部１８とを備える。【選択図】図１
2007097200.tif 000002
【特許請求の範囲】
【請求項１】
受信されたトランスポートパケットの到達時刻を計測する受信時刻計測手段と、
前記受信時刻計測手段によって計測された到達時刻を示す到達時刻情報を、前記トランスポートパケットに付加する時刻情報付加手段と、
前記トランスポートパケットからピクチャ種別を解析するピクチャ種別解析手段と、
前記ピクチャ種別解析手段により解析されたピクチャ種別を示すピクチャ種別情報を前記トランスポートパケットに付加する種別情報付加手段と、
到達時刻情報及びピクチャ種別情報が付加されたトランスポートパケットを記録媒体に記録する記録手段と、
前記記録媒体から到着時刻情報及びピクチャ種別情報が付加されたトランスポートパケットを読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を有することを特徴とするデジタル映像信号記録再生装置。
【請求項２】
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、前記再生速度制御手段は、
＜２−１＞  前記現在時刻計測手段が計測する現在時刻が、前記トランスポートパケットに付加された到達時刻情報に基づく時刻Ｔ（Ｉｆ＿Ａｐ）に一致したかどうかを判定し、
＜２−２＞  前記現在時刻計測手段が計測する現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜２−３＞  前記処理＜２−１＞及び＜２−２＞を、第１番フレームのピクチャの一部を構成する第１番トランスポートパケットから順に実行する
ことを特徴とする請求項１記載のデジタル映像信号記録再生装置。
【請求項３】
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜３−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜３−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜３−３＞  時刻Ｔａに前記現在時刻計測手段が計測する現在時刻が一致したかどうかを判定し、
＜３−４＞  時刻Ｔａに前記現在時刻計測手段が計測する現在時刻が一致したときに、第ｆ番フレームのピクチャの一部を構成する第ｐ番トランスポートパケットを前記バッファ手段から出力させ、
＜３−５＞  前記処理＜３−１＞から＜３−４＞までを、第１番フレームのピクチャの一部を構成する第１番トランスポートパケットから順に実行する
ことを特徴とする請求項１記載のデジタル映像信号記録再生装置。
【請求項４】
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜４Ａ＞  ピクチャ先頭データを格納する第ｆ番フレームのピクチャの一部を構成する第１番トランスポートパケットを出力する場合に、
＜４Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜４Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜４Ａ−３＞  時刻Ｔｂに前記現在時刻計測手段が計測する現在時刻が一致したかどうかを判定し、
＜４Ａ−４＞  時刻Ｔｂに前記現在時刻計測手段が計測する現在時刻が一致したときに、第ｆ番フレームのピクチャの一部を構成する第１番トランスポートパケットを前記バッファ手段から出力させ、
＜４Ｂ＞  ピクチャ先頭データを格納しない各フレームのピクチャの一部を構成する第２番以降のトランスポートパケットを出力する場合に、
＜４Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜４Ｂ−２＞  時刻Ｔｂから時間ｔｄ３が経過した時刻Ｔｃを、次式
Ｔｃ＝Ｔｂ＋ｔｄ３
により求め、
＜４Ｂ−３＞  時刻Ｔｃに前記現在時刻計測手段が計測する現在時刻が一致したかどうかを判定し、
＜４Ｂ−４＞  時刻Ｔｃに前記現在時刻計測手段が計測する現在時刻が一致したときに、第ｆ番フレームのピクチャの一部を構成する第ｕ番トランスポートパケットを前記バッファ手段から出力させ、
＜４Ｃ＞  前記処理＜４Ａ−１＞から＜４Ａ−４＞までを各フレームのピクチャの一部を構成する第１番トランスポートパケットについて、前記処理＜４Ｂ−１＞から＜４Ｂ−４＞までを、各フレームのピクチャの一部を構成する第２番以降のトランスポートパケットについて実行する
ことを特徴とする請求項１記載のデジタル映像信号記録再生装置。
【請求項５】
受信されたトランスポートパケットの到達時刻を計測する受信時刻計測手段と、
前記受信時刻計測手段によって計測された到達時刻を示す到達時刻情報を、前記トランスポートパケットに付加する時刻情報付加手段と、
前記トランスポートパケットからピクチャ種別を解析するピクチャ種別解析手段と、
前記ピクチャ種別解析手段により解析されたピクチャ種別を示すピクチャ種別情報を前記トランスポートパケットに付加する種別情報付加手段と、
到達時刻情報及びピクチャ種別情報が付加されたトランスポートパケットを記録媒体に記録する記録手段と
を有することを特徴とするデジタル映像信号記録装置。
【請求項６】
受信されたトランスポートパケットの到達時刻を示す到達時刻情報及びトランスポートストリームのピクチャ種別を示すピクチャ種別情報が付加されたトランスポートパケットを記録媒体から読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を有することを特徴とするデジタル映像信号再生装置。
【請求項７】
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、前記再生速度制御手段は、
＜７−１＞  前記現在時刻計測手段が計測する現在時刻が、前記トランスポートパケットに付加された到達時刻情報に基づく時刻Ｔ（Ｉｆ＿Ａｐ）に一致したかどうかを判定し、
＜７−２＞  前記現在時刻計測手段が計測する現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜７−３＞  前記処理＜７−１＞及び＜７−２＞を、第１番フレームのピクチャの一部を構成する第１番トランスポートパケットから順に実行する
ことを特徴とする請求項６記載のデジタル映像信号再生装置。
【請求項８】
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜８−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜８−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜８−３＞  時刻Ｔａに前記現在時刻計測手段が計測する現在時刻が一致したかどうかを判定し、
＜８−４＞  時刻Ｔａに前記現在時刻計測手段が計測する現在時刻が一致したときに、第ｆ番フレームのピクチャの一部を構成する第ｐ番トランスポートパケットを前記バッファ手段から出力させ、
＜８−５＞  前記処理＜８−１＞から＜８−４＞までを、第１番フレームのピクチャの一部を構成する第１番トランスポートパケットから順に実行する
ことを特徴とする請求項６記載のデジタル映像信号再生装置。
【請求項９】
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜９Ａ＞  ピクチャ先頭データを格納する第ｆ番フレームのピクチャの一部を構成する第１番トランスポートパケットを出力する場合に、
＜９Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜９Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜９Ａ−３＞  時刻Ｔｂに前記現在時刻計測手段が計測する現在時刻が一致したかどうかを判定し、
＜９Ａ−４＞  時刻Ｔｂに前記現在時刻計測手段が計測する現在時刻が一致したときに、第ｆ番フレームのピクチャの一部を構成する第１番トランスポートパケットを前記バッファ手段から出力させ、
＜９Ｂ＞  ピクチャ先頭データを格納しない各フレームのピクチャの一部を構成する第２番以降のトランスポートパケットを出力する場合に、
＜９Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜９Ｂ−２＞  時刻Ｔｂから時間ｔｄ３が経過した時刻Ｔｃを、次式
Ｔｃ＝Ｔｂ＋ｔｄ３
により求め、
＜９Ｂ−３＞  時刻Ｔｃに前記現在時刻計測手段が計測する現在時刻が一致したかどうかを判定し、
＜９Ｂ−４＞  時刻Ｔｃに前記現在時刻計測手段が計測する現在時刻が一致したときに、第ｆ番フレームのピクチャの一部を構成する第ｕ番トランスポートパケットを前記バッファ手段から出力させ、
＜９Ｃ＞  前記処理＜９Ａ−１＞から＜９Ａ−４＞までを各フレームのピクチャの一部を構成する第１番トランスポートパケットについて、前記処理＜９Ｂ−１＞から＜９Ｂ−４＞までを、各フレームのピクチャの一部を構成する第２番以降のトランスポートパケットについて実行する
ことを特徴とする請求項６記載のデジタル映像信号再生装置。
【請求項１０】
受信されたトランスポートパケットの到達時刻を計測し、
前記計測された到達時刻を示す到達時刻情報を、前記トランスポートパケットに付加し、
前記トランスポートパケットからピクチャ種別を解析し、
前記解析されたピクチャ種別を示すピクチャ種別情報を前記トランスポートパケットに付加し、
到達時刻情報及びピクチャ種別情報が付加されたトランスポートパケットを記録媒体に記録し、
前記記録媒体から到着時刻情報及びピクチャ種別情報が付加されたトランスポートパケットを読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保持し、
前記解析された到達時刻情報に応じた時刻に、この到達時刻情報を付加しているトランスポートパケットを前記バッファ手段から出力させて、トランスポートパケットの再生時刻を制御する
ことを特徴とするデジタル映像信号記録再生方法。
【請求項１１】
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、
＜１１−１＞  計測される現在時刻が、前記トランスポートパケットに付加された到達時刻情報に基づく時刻Ｔ（Ｉｆ＿Ａｐ）に一致したかどうかを判定し、
＜１１−２＞  計測される現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜１１−３＞  前記処理＜１１−１＞及び＜１１−２＞を、第１番フレームのピクチャの一部を構成する第１番トランスポートパケットから順に実行する
ことを特徴とする請求項１０記載のデジタル映像信号記録再生方法。
【請求項１２】
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１２−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜１２−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜１２−３＞  時刻Ｔａに現在時刻が一致したかどうかを判定し、
＜１２−４＞  時刻Ｔａに現在時刻が一致したときに、第ｆ番フレームのピクチャの一部を構成する第ｐ番トランスポートパケットを前記バッファ手段から出力させ、
＜１２−５＞  前記処理＜１２−１＞から＜１２−４＞までを、第１番フレームのピクチャの一部を構成する第１番トランスポートパケットから順に実行する
ことを特徴とする請求項１０記載のデジタル映像信号記録再生方法。
【請求項１３】
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１３Ａ＞  ピクチャ先頭データを格納する第ｆ番フレームのピクチャの一部を構成する第１番トランスポートパケットを出力する場合に、
＜１３Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜１３Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜１３Ａ−３＞  時刻Ｔｂに現在時刻が一致したかどうかを判定し、
＜１３Ａ−４＞  時刻Ｔｂに現在時刻が一致したときに、第ｆ番フレームのピクチャの一部を構成する第１番トランスポートパケットを前記バッファ手段から出力させ、
＜１３Ｂ＞  ピクチャ先頭データを格納しない各フレームのピクチャの一部を構成する第２番以降のトランスポートパケットを出力する場合に、
＜１３Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜１３Ｂ−２＞  時刻Ｔｂから時間ｔｄ３が経過した時刻Ｔｃを、次式
Ｔｃ＝Ｔｂ＋ｔｄ３
により求め、
＜１３Ｂ−３＞  時刻Ｔｃに現在時刻が一致したかどうかを判定し、
＜１３Ｂ−４＞  時刻Ｔｃに現在時刻が一致したときに、第ｆ番フレームのピクチャの一部を構成する第ｕ番トランスポートパケットを前記バッファ手段から出力させ、
＜１３Ｃ＞  前記処理＜１３Ａ−１＞から＜１３Ａ−４＞までを各フレームのピクチャの一部を構成する第１番トランスポートパケットについて、前記処理＜１３Ｂ−１＞から＜１３Ｂ−４＞までを、各フレームのピクチャの一部を構成する第２番以降のトランスポートパケットについて実行する
ことを特徴とする請求項１０記載のデジタル映像信号記録再生方法。
【請求項１４】
受信されたトランスポートパケットの到達時刻を計測し、
前記計測された到達時刻を示す到達時刻情報を、前記トランスポートパケットに付加し、
前記トランスポートパケットからピクチャ種別を解析し、
前記解析されたピクチャ種別を示すピクチャ種別情報を前記トランスポートパケットに付加し、
到達時刻情報及びピクチャ種別情報が付加されたトランスポートパケットを記録媒体に記録する
ことを特徴とするデジタル映像信号記録方法。
【請求項１５】
受信されたトランスポートパケットの到達時刻を示す到達時刻情報及びトランスポートストリームのピクチャ種別を示すピクチャ種別情報が付加されたトランスポートパケットを記録媒体から読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保管し、
前記到達時刻情報に応じた時刻に、この到達時刻情報を付加しているトランスポートパケットを前記バッファ手段から出力させて、トランスポートパケットの再生時刻を制御する
ことを特徴とするデジタル映像信号再生方法。
【請求項１６】
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、
＜１６−１＞  計測される現在時刻が、前記トランスポートパケットに付加された到達時刻情報に基づく時刻Ｔ（Ｉｆ＿Ａｐ）に一致したかどうかを判定し、
＜１６−２＞  計測される現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜１６−３＞  前記処理＜１６−１＞及び＜１６−２＞を、第１番フレームのピクチャの一部を構成する第１番トランスポートパケットから順に実行する
ことを特徴とする請求項１５記載のデジタル映像信号再生方法。
【請求項１７】
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１７−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜１７−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜１７−３＞  時刻Ｔａに現在時刻が一致したかどうかを判定し、
＜１７−４＞  時刻Ｔａに現在時刻が一致したときに、第ｆ番フレームのピクチャの一部を構成する第ｐ番トランスポートパケットを前記バッファ手段から出力させ、
＜１７−５＞  前記処理＜１７−１＞から＜１７−４＞までを、第１番フレームのピクチャの一部を構成する第１番トランスポートパケットから順に実行する
ことを特徴とする請求項１５記載のデジタル映像信号再生装置。
【請求項１８】
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１８Ａ＞  ピクチャ先頭データを格納する第ｆ番フレームのピクチャの一部を構成する第１番トランスポートパケットを出力する場合に、
＜１８Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜１８Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜１８Ａ−３＞  時刻Ｔｂに現在時刻が一致したかどうかを判定し、
＜１８Ａ−４＞  時刻Ｔｂに現在時刻が一致したときに、第ｆ番フレームのピクチャの一部を構成する第１番トランスポートパケットを前記バッファ手段から出力させ、
＜１８Ｂ＞  ピクチャ先頭データを格納しない各フレームのピクチャの一部を構成する第２番以降のトランスポートパケットを出力する場合に、
＜１８Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜１８Ｂ−２＞  時刻Ｔｂから時間ｔｄ３が経過した時刻Ｔｃを、次式
Ｔｃ＝Ｔｂ＋ｔｄ３
により求め、
＜１８Ｂ−３＞  時刻Ｔｃに現在時刻が一致したかどうかを判定し、
＜１８Ｂ−４＞  時刻Ｔｃに現在時刻が一致したときに、第ｆ番フレームのピクチャの一部を構成する第ｕ番トランスポートパケットを前記バッファ手段から出力させ、
＜１８Ｃ＞  前記処理＜１８Ａ−１＞から＜１８Ａ−４＞までを各フレームのピクチャの一部を構成する第１番トランスポートパケットについて、前記処理＜１８Ｂ−１＞から＜１８Ｂ−４＞までを、各フレームのピクチャの一部を構成する第２番以降のトランスポートパケットについて実行する
ことを特徴とする請求項１５記載のデジタル映像信号再生方法。
【発明の詳細な説明】
【技術分野】
【０００１】
本発明は、デジタル符号化された映像データを記録媒体に記録又は再生する装置及び方法に関するものである。
【背景技術】
【０００２】
デジタル放送では、画像圧縮方式として高能率符号化方式であるＭＰＥＧ２（Moving  Picture  Experts  Group  Phase2）を用いている。また、画像圧縮したデジタル信号の伝送には、多重方式として放送等のリアルタイム伝送に用いられるトランスポートストリーム方式を用いている。デジタル放送受信機は受信したトランスポートストリーム（ＴＳ）から圧縮画像データを抽出した後、ビデオデコーダにて復号化処理を行う。この復号化処理によって得られた映像信号は、ディスプレイに動画として表示される。
【０００３】
また、デジタル放送記録再生装置における特殊再生の一つである早送り再生は、記録媒体からＩピクチャのみ、又はＩ及びＰピクチャのみを再生することにより実現している。早送り再生時の再生速度は、出力対象となっているピクチャをｍ（ｍは正の整数）枚毎に出力することで再生速度を制御している。
【発明の開示】
【発明が解決しようとする課題】
【０００４】
しかしながら、出力対象としているピクチャをｍ枚毎に出力する場合には、デジタル映像ストリームの構成に再生速度が依存することになる。このため、Ｉピクチャのみを出力対象とする早送り再生において、デジタル映像ストリームのＩピクチャ間のピクチャ数が一定でない場合には、再生速度が一定にならない。特に、Ｉ及びＰピクチャを出力対象とした音声付きの、比較的低速な早送り視聴においては、再生速度のむらが顕著に感じられ、視聴者は違和感を感じる傾向にある。
【０００５】
そこで、本発明は、上記したような従来技術の課題を解決するためになされたものであり、その目的とするところは、正確な再生速度制御を可能とするデジタル映像信号記録装置及び記録方法、正確な再生速度制御ができるデジタル映像信号再生装置及び再生方法、並びに、正確な再生速度制御ができるデジタル映像信号記録再生装置及び記録再生方法を提供することにある。
【課題を解決するための手段】
【０００６】
請求項１に係るデジタル映像信号記録再生装置は、
受信されたトランスポートパケットの到達時刻を計測する受信時刻計測手段と、
前記受信時刻計測手段によって計測された到達時刻を示す到達時刻情報を、前記トランスポートパケットに付加する時刻情報付加手段と、
前記トランスポートパケットからピクチャ種別を解析するピクチャ種別解析手段と、
前記ピクチャ種別解析手段により解析されたピクチャ種別を示すピクチャ種別情報を前記トランスポートパケットに付加する種別情報付加手段と、
到達時刻情報及びピクチャ種別情報が付加されたトランスポートパケットを記録媒体に記録する記録手段と、
前記記録媒体から到着時刻情報及びピクチャ種別情報が付加されたトランスポートパケットを読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を有することを特徴としている。
【０００７】
また、請求項２に係るデジタル映像信号記録再生装置は、
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、前記再生速度制御手段は、
＜２−１＞  前記現在時刻計測手段が計測する現在時刻が、前記トランスポートパケットに付加された到達時刻情報に基づく時刻Ｔ（Ｉｆ＿Ａｐ）に一致したかどうかを判定し、
＜２−２＞  前記現在時刻計測手段が計測する現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜２−３＞  前記処理＜２−１＞及び＜２−２＞を、第１番フレームのピクチャの一部を構成する第１番トランスポートパケットから順に実行する
ことを特徴としている。
【０００８】
また、請求項３に係るデジタル映像信号記録再生装置は、
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜３−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜３−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜３−３＞  時刻Ｔａに前記現在時刻計測手段が計測する現在時刻が一致したかどうかを判定し、
＜３−４＞  時刻Ｔａに前記現在時刻計測手段が計測する現在時刻が一致したときに、第ｆ番フレームのピクチャの一部を構成する第ｐ番トランスポートパケットを前記バッファ手段から出力させ、
＜３−５＞  前記処理＜３−１＞から＜３−４＞までを、第１番フレームのピクチャの一部を構成する第１番トランスポートパケットから順に実行する
ことを特徴としている。
【０００９】
また、請求項４に係るデジタル映像信号記録再生装置は、
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜４Ａ＞  ピクチャ先頭データを格納する第ｆ番フレームのピクチャの一部を構成する第１番トランスポートパケットを出力する場合に、
＜４Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜４Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜４Ａ−３＞  時刻Ｔｂに前記現在時刻計測手段が計測する現在時刻が一致したかどうかを判定し、
＜４Ａ−４＞  時刻Ｔｂに前記現在時刻計測手段が計測する現在時刻が一致したときに、第ｆ番フレームのピクチャの一部を構成する第１番トランスポートパケットを前記バッファ手段から出力させ、
＜４Ｂ＞  ピクチャ先頭データを格納しない各フレームのピクチャの一部を構成する第２番以降のトランスポートパケットを出力する場合に、
＜４Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜４Ｂ−２＞  時刻Ｔｂから時間ｔｄ３が経過した時刻Ｔｃを、次式
Ｔｃ＝Ｔｂ＋ｔｄ３
により求め、
＜４Ｂ−３＞  時刻Ｔｃに前記現在時刻計測手段が計測する現在時刻が一致したかどうかを判定し、
＜４Ｂ−４＞  時刻Ｔｃに前記現在時刻計測手段が計測する現在時刻が一致したときに、第ｆ番フレームのピクチャの一部を構成する第ｕ番トランスポートパケットを前記バッファ手段から出力させ、
＜４Ｃ＞  前記処理＜４Ａ−１＞から＜４Ａ−４＞までを各フレームのピクチャの一部を構成する第１番トランスポートパケットについて、前記処理＜４Ｂ−１＞から＜４Ｂ−４＞までを、各フレームのピクチャの一部を構成する第２番以降のトランスポートパケットについて実行する
ことを特徴としている。
【００１０】
請求項５に係るデジタル映像信号記録装置は、
受信されたトランスポートパケットの到達時刻を計測する受信時刻計測手段と、
前記受信時刻計測手段によって計測された到達時刻を示す到達時刻情報を、前記トランスポートパケットに付加する時刻情報付加手段と、
前記トランスポートパケットからピクチャ種別を解析するピクチャ種別解析手段と、
前記ピクチャ種別解析手段により解析されたピクチャ種別を示すピクチャ種別情報を前記トランスポートパケットに付加する種別情報付加手段と、
到達時刻情報及びピクチャ種別情報が付加されたトランスポートパケットを記録媒体に記録する記録手段と
を有することを特徴としている。
【００１１】
請求項６に係るデジタル映像信号再生装置は、
受信されたトランスポートパケットの到達時刻を示す到達時刻情報及びトランスポートストリームのピクチャ種別を示すピクチャ種別情報が付加されたトランスポートパケットを記録媒体から読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を有することを特徴としている。
【００１２】
また、請求項７に係るデジタル映像信号再生装置は、
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、前記再生速度制御手段は、
＜７−１＞  前記現在時刻計測手段が計測する現在時刻が、前記トランスポートパケットに付加された到達時刻情報に基づく時刻Ｔ（Ｉｆ＿Ａｐ）に一致したかどうかを判定し、
＜７−２＞  前記現在時刻計測手段が計測する現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜７−３＞  前記処理＜７−１＞及び＜７−２＞を、第１番フレームのピクチャの一部を構成する第１番トランスポートパケットから順に実行する
ことを特徴としている。
【００１３】
また、請求項８に係るデジタル映像信号再生装置は、
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜８−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜８−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜８−３＞  時刻Ｔａに前記現在時刻計測手段が計測する現在時刻が一致したかどうかを判定し、
＜８−４＞  時刻Ｔａに前記現在時刻計測手段が計測する現在時刻が一致したときに、第ｆ番フレームのピクチャの一部を構成する第ｐ番トランスポートパケットを前記バッファ手段から出力させ、
＜８−５＞  前記処理＜８−１＞から＜８−４＞までを、第１番フレームのピクチャの一部を構成する第１番トランスポートパケットから順に実行する
ことを特徴としている。
【００１４】
また、請求項９に係るデジタル映像信号再生装置は、
前記再生速度制御手段が、初期化された時刻から計測を開始した現在時刻を計測する現在時刻計測手段を含み、
前記選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
前記現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、前記再生速度制御手段は、
＜９Ａ＞  ピクチャ先頭データを格納する第ｆ番フレームのピクチャの一部を構成する第１番トランスポートパケットを出力する場合に、
＜９Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜９Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜９Ａ−３＞  時刻Ｔｂに前記現在時刻計測手段が計測する現在時刻が一致したかどうかを判定し、
＜９Ａ−４＞  時刻Ｔｂに前記現在時刻計測手段が計測する現在時刻が一致したときに、第ｆ番フレームのピクチャの一部を構成する第１番トランスポートパケットを前記バッファ手段から出力させ、
＜９Ｂ＞  ピクチャ先頭データを格納しない各フレームのピクチャの一部を構成する第２番以降のトランスポートパケットを出力する場合に、
＜９Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜９Ｂ−２＞  時刻Ｔｂから時間ｔｄ３が経過した時刻Ｔｃを、次式
Ｔｃ＝Ｔｂ＋ｔｄ３
により求め、
＜９Ｂ−３＞  時刻Ｔｃに前記現在時刻計測手段が計測する現在時刻が一致したかどうかを判定し、
＜９Ｂ−４＞  時刻Ｔｃに前記現在時刻計測手段が計測する現在時刻が一致したときに、第ｆ番フレームのピクチャの一部を構成する第ｕ番トランスポートパケットを前記バッファ手段から出力させ、
＜９Ｃ＞  前記処理＜９Ａ−１＞から＜９Ａ−４＞までを各フレームのピクチャの一部を構成する第１番トランスポートパケットについて、前記処理＜９Ｂ−１＞から＜９Ｂ−４＞までを、各フレームのピクチャの一部を構成する第２番以降のトランスポートパケットについて実行する
ことを特徴としている。
【００１５】
請求項１０に係るデジタル映像信号記録再生方法は、
受信されたトランスポートパケットの到達時刻を計測し、
前記計測された到達時刻を示す到達時刻情報を、前記トランスポートパケットに付加し、
前記トランスポートパケットからピクチャ種別を解析し、
前記解析されたピクチャ種別を示すピクチャ種別情報を前記トランスポートパケットに付加し、
到達時刻情報及びピクチャ種別情報が付加されたトランスポートパケットを記録媒体に記録し、
前記記録媒体から到着時刻情報及びピクチャ種別情報が付加されたトランスポートパケットを読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保持し、
前記解析された到達時刻情報に応じた時刻に、この到達時刻情報を付加しているトランスポートパケットを前記バッファ手段から出力させて、トランスポートパケットの再生時刻を制御する
ことを特徴としている。
【００１６】
また、請求項１１に係るデジタル映像信号記録再生方法は、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、
＜１１−１＞  計測される現在時刻が、前記トランスポートパケットに付加された到達時刻情報に基づく時刻Ｔ（Ｉｆ＿Ａｐ）に一致したかどうかを判定し、
＜１１−２＞  計測される現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜１１−３＞  前記処理＜１１−１＞及び＜１１−２＞を、第１番フレームのピクチャの一部を構成する第１番トランスポートパケットから順に実行する
ことを特徴とする請求項１０記載のデジタル映像信号記録再生方法。
【００１７】
また、請求項１２に係るデジタル映像信号記録再生方法は、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１２−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜１２−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜１２−３＞  時刻Ｔａに現在時刻が一致したかどうかを判定し、
＜１２−４＞  時刻Ｔａに現在時刻が一致したときに、第ｆ番フレームのピクチャの一部を構成する第ｐ番トランスポートパケットを前記バッファ手段から出力させ、
＜１２−５＞  前記処理＜１２−１＞から＜１２−４＞までを、第１番フレームのピクチャの一部を構成する第１番トランスポートパケットから順に実行する
ことを特徴としている。
【００１８】
また、請求項１３に係るデジタル映像信号記録再生方法は、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１３Ａ＞  ピクチャ先頭データを格納する第ｆ番フレームのピクチャの一部を構成する第１番トランスポートパケットを出力する場合に、
＜１３Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜１３Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜１３Ａ−３＞  時刻Ｔｂに現在時刻が一致したかどうかを判定し、
＜１３Ａ−４＞  時刻Ｔｂに現在時刻が一致したときに、第ｆ番フレームのピクチャの一部を構成する第１番トランスポートパケットを前記バッファ手段から出力させ、
＜１３Ｂ＞  ピクチャ先頭データを格納しない各フレームのピクチャの一部を構成する第２番以降のトランスポートパケットを出力する場合に、
＜１３Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜１３Ｂ−２＞  時刻Ｔｂから時間ｔｄ３が経過した時刻Ｔｃを、次式
Ｔｃ＝Ｔｂ＋ｔｄ３
により求め、
＜１３Ｂ−３＞  時刻Ｔｃに現在時刻が一致したかどうかを判定し、
＜１３Ｂ−４＞  時刻Ｔｃに現在時刻が一致したときに、第ｆ番フレームのピクチャの一部を構成する第ｕ番トランスポートパケットを前記バッファ手段から出力させ、
＜１３Ｃ＞  前記処理＜１３Ａ−１＞から＜１３Ａ−４＞までを各フレームのピクチャの一部を構成する第１番トランスポートパケットについて、前記処理＜１３Ｂ−１＞から＜１３Ｂ−４＞までを、各フレームのピクチャの一部を構成する第２番以降のトランスポートパケットについて実行する
ことを特徴としている。
【００１９】
請求項１４に係るデジタル映像信号記録方法は、
受信されたトランスポートパケットの到達時刻を計測し、
前記計測された到達時刻を示す到達時刻情報を、前記トランスポートパケットに付加し、
前記トランスポートパケットからピクチャ種別を解析し、
前記解析されたピクチャ種別を示すピクチャ種別情報を前記トランスポートパケットに付加し、
到達時刻情報及びピクチャ種別情報が付加されたトランスポートパケットを記録媒体に記録する
ことを特徴としている。
【００２０】
請求項１５に係るデジタル映像信号再生方法は、
受信されたトランスポートパケットの到達時刻を示す到達時刻情報及びトランスポートストリームのピクチャ種別を示すピクチャ種別情報が付加されたトランスポートパケットを記録媒体から読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保管し、
前記到達時刻情報に応じた時刻に、この到達時刻情報を付加しているトランスポートパケットを前記バッファ手段から出力させて、トランスポートパケットの再生時刻を制御する
ことを特徴としている。
【００２１】
また、請求項１６に係るデジタル映像信号再生方法は、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
通常再生時において、
＜１６−１＞  計測される現在時刻が、前記トランスポートパケットに付加された到達時刻情報に基づく時刻Ｔ（Ｉｆ＿Ａｐ）に一致したかどうかを判定し、
＜１６−２＞  計測される現在時刻が、前記トランスポートパケットに付加された到達時刻情報に基づく時刻Ｔ（Ｉｆ＿Ａｐ）に一致したときに、第ｆ番フレームのピクチャの一部を構成する第ｐ番トランスポートパケットを前記バッファ手段から出力させ
＜１６−３＞  前記処理＜１６−１＞及び＜１６−２＞を、第１番フレームのピクチャの一部を構成する第１番トランスポートパケットから順に実行する
ことを特徴としている。
【００２２】
また、請求項１７に係るデジタル映像信号再生方法は、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１７−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜１７−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜１７−３＞  時刻Ｔａに現在時刻が一致したかどうかを判定し、
＜１７−４＞  時刻Ｔａに現在時刻が一致したときに、第ｆ番フレームのピクチャの一部を構成する第ｐ番トランスポートパケットを前記バッファ手段から出力させ、
＜１７−５＞  前記処理＜１７−１＞から＜１７−４＞までを、第１番フレームのピクチャの一部を構成する第１番トランスポートパケットから順に実行する
ことを特徴としている。
【００２３】
また、請求項１８に係るデジタル映像信号再生方法は、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、
＜１８Ａ＞  ピクチャ先頭データを格納する第ｆ番フレームのピクチャの一部を構成する第１番トランスポートパケットを出力する場合に、
＜１８Ａ−１＞  再生対象のトランスポートパケットの到達時刻Ｔ（Ｉｆ＿Ａ０）から最初のトランスポートパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜１８Ａ−２＞  時間ｔｄ２をＮ分の一にした値ｔｄ２／Ｎに、第１番フレームのピクチャの一部を構成する第１番トランスポートパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜１８Ａ−３＞  時刻Ｔｂに現在時刻が一致したかどうかを判定し、
＜１８Ａ−４＞  時刻Ｔｂに現在時刻が一致したときに、第ｆ番フレームのピクチャの一部を構成する第１番トランスポートパケットを前記バッファ手段から出力させ、
＜１８Ｂ＞  ピクチャ先頭データを格納しない各フレームのピクチャの一部を構成する第２番以降のトランスポートパケットを出力する場合に、
＜１８Ｂ−１＞  再生対象のトランスポートパケットの到達時刻Ｔ（Ｉｆ＿Ａｕ）（ｕは１以上の整数）から同じフレームの最初のトランスポートパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜１８Ｂ−２＞  時刻Ｔｂから時間ｔｄ３が経過した時刻Ｔｃを、次式
Ｔｃ＝Ｔｂ＋ｔｄ３
により求め、
＜１８Ｂ−３＞  時刻Ｔｃに現在時刻が一致したかどうかを判定し、
＜１８Ｂ−４＞  時刻Ｔｃに現在時刻が一致したときに、第ｆ番フレームのピクチャの一部を構成する第ｕ番トランスポートパケットを前記バッファ手段から出力させ、
＜１８Ｃ＞  前記処理＜１８Ａ−１＞から＜１８Ａ−４＞までを各フレームのピクチャの一部を構成する第１番トランスポートパケットについて、前記処理＜１８Ｂ−１＞から＜１８Ｂ−４＞までを、各フレームのピクチャの一部を構成する第２番以降のトランスポートパケットについて実行する
ことを特徴としている。
【発明の効果】
【００２４】
請求項１のデジタル映像信号記録再生装置によれば、時刻情報解析手段から出力された到達時刻情報に応じた時刻に、この到達時刻情報を付加しているＴＳパケットをバッファ手段から出力させて、ＴＳパケットの再生時刻を制御するので、通常再生時には本来のトランスポートストリームの再生レートが再現でき、また、特殊再生時には所望の再生速度で正確にトランスポートストリームを出力できる。
【００２５】
また、請求項２のデジタル映像信号記録再生装置によれば、現在時刻計測手段が計測する現在時刻が、ＴＳパケットに付加された到達時刻情報に基づく時刻に一致したときに、ＴＳパケットをバッファ手段から出力させるので、通常再生時には本来のトランスポートストリームの再生レートが再現できる。
【００２６】
また、請求項３のデジタル映像信号記録再生装置によれば、Ｎ倍速再生の開始時に、時刻情報解析手段が現在時刻計測手段を最初のＴＳパケットの時刻情報で初期化するようにし、さらにＮ倍速再生時に、再生速度制御手段がＴＳパケットに付加した時刻情報と、現在時刻計測手段が示す現在時刻情報の時間差をＮ分の一し、これにＮ倍速再生開始時の時刻を加算した新たなパケット出力時刻を求め、この値に現在時刻計測手段が示す現在時刻情報が一致したときにＴＳパケットをバッファ手段から出力させるので、トランスポートストリームが正確なＮ倍速の再生速度で出力することができる。
【００２７】
また、請求項４のデジタル映像信号記録再生装置によれば、Ｎ倍速再生の開始時に、現在時刻計測手段を最初のＴＳパケットの時刻情報で初期化するようにし、さらにＮ倍速再生時のピクチャ先頭データを格納するＴＳパケットを出力する場合にのみ、再生速度制御手段がＴＳパケットに付加した時刻情報と、現在時刻計測手段が示す現在時刻情報の時間差をＮ分の一し、これにＮ倍速再生開始時の時刻を加算した新たなパケット出力時刻を求め、この値に現在時刻計測手段が示す現在時刻情報が一致したときにＴＳパケットの出力許可を行い、ピクチャの先頭でないデータをペイロードとするＴＳパケットは、ＴＳパケットの間隔が、受信時のＴＳパケット間隔と等しくなるよう制御するので、トランスポートストリームが正確なＮ倍速の再生速度で出力することができ、また後段に接続するデマルチプレクサ入力バッファのオーバーフローを避けることができる。
【００２８】
請求項５のデジタル映像信号記録装置によれば、受信時刻計測手段によって計測された到達時刻を示す到達時刻情報を、ＴＳパケットに付加し、ピクチャ種別解析手段により解析されたピクチャ種別を示すピクチャ種別情報をＴＳパケットに付加し、到達時刻情報及びピクチャ種別情報が付加されたＴＳパケットを記録媒体に記録するので、時刻情報解析手段から出力された到達時刻情報に応じた時刻に、この到達時刻情報を付加しているＴＳパケットをバッファ手段から出力させるので、ＴＳパケット毎の再生時刻の制御が可能になり、通常再生時には本来のトランスポートストリームの再生レートが再現でき、また、特殊再生時には所望の再生速度で正確にトランスポートストリームを出力できる。
【００２９】
請求項６のデジタル映像信号再生装置によれば、時刻情報解析手段から出力された到達時刻情報に応じた時刻に、この到達時刻情報を付加しているＴＳパケットをバッファ手段から出力させて、ＴＳパケットの再生時刻を制御するので、通常再生時には本来のトランスポートストリームの再生レートが再現でき、また、特殊再生時には所望の再生速度で正確にトランスポートストリームを出力できる。
【００３０】
また、請求項７のデジタル映像信号再生装置によれば、現在時刻計測手段が計測する現在時刻が、ＴＳパケットに付加された到達時刻情報に基づく時刻に一致したときに、ＴＳパケットをバッファ手段から出力させるので、通常再生時には本来のトランスポートストリームの再生レートが再現できる。
【００３１】
また、請求項８のデジタル映像信号再生装置によれば、Ｎ倍速再生の開始時に、時刻情報解析手段が現在時刻計測手段を最初のＴＳパケットの時刻情報で初期化するようにし、さらにＮ倍速再生時に、再生速度制御手段がＴＳパケットに付加した時刻情報と、現在時刻計測手段が示す現在時刻情報の時間差をＮ分の一し、これにＮ倍速再生開始時の時刻を加算した新たなパケット出力時刻を求め、この値に現在時刻計測手段が示す現在時刻情報が一致したときにＴＳパケットをバッファ手段から出力させるので、トランスポートストリームが正確なＮ倍速の再生速度で出力することができる。
【００３２】
また、請求項９のデジタル映像信号再生装置によれば、Ｎ倍速再生の開始時に、現在時刻計測手段を最初のＴＳパケットの時刻情報で初期化するようにし、さらにＮ倍速再生時のピクチャ先頭データを格納するＴＳパケットを出力する場合にのみ、再生速度制御手段がＴＳパケットに付加した時刻情報と、現在時刻計測手段が示す現在時刻情報の時間差をＮ分の一し、これにＮ倍速再生開始時の時刻を加算した新たなパケット出力時刻を求め、この値に現在時刻計測手段が示す現在時刻情報が一致したときにＴＳパケットの出力許可を行い、ピクチャの先頭でないデータをペイロードとするＴＳパケットは、ＴＳパケットの間隔が、受信時のＴＳパケット間隔と等しくなるように制御するので、トランスポートストリームが正確なＮ倍速の再生速度で出力することができ、また後段に接続するデマルチプレクサ入力バッファのオーバーフローを避けることができる。
【００３３】
また、請求項１０のデジタル映像信号記録再生方法によれば、到達時刻情報に応じた時刻に、この到達時刻情報を付加しているＴＳパケットをバッファ手段から出力させて、ＴＳパケットの再生時刻を制御するので、通常再生時には本来のトランスポートストリームの再生レートが再現でき、また、特殊再生時には所望の再生速度で正確にトランスポートストリームを出力できる。
【００３４】
また、請求項１１のデジタル映像信号記録再生方法によれば、計測する現在時刻が、ＴＳパケットに付加された到達時刻情報に基づく時刻に一致したときに、ＴＳパケットをバッファ手段から出力させるので、通常再生時には本来のトランスポートストリームの再生レートが再現できる。
【００３５】
また、請求項１２のデジタル映像信号記録再生方法によれば、Ｎ倍速再生の開始時に、時刻情報解析手段が現在時刻計測手段を最初のＴＳパケットの時刻情報で初期化するようにし、さらにＮ倍速再生時に、ＴＳパケットに付加した時刻情報と、現在時刻計測手段が示す現在時刻情報の時間差をＮ分の一し、これにＮ倍速再生開始時の時刻を加算した新たなパケット出力時刻を求め、この値に現在時刻計測手段が示す現在時刻情報が一致したときにＴＳパケットをバッファ手段から出力させるので、トランスポートストリームが正確なＮ倍速の再生速度で出力することができる。
【００３６】
また、請求項１３のデジタル映像信号記録再生方法によれば、Ｎ倍速再生の開始時に、最初のＴＳパケットの時刻情報で初期化するようにし、さらにＮ倍速再生時のピクチャ先頭データを格納するＴＳパケットを出力する場合にのみ、ＴＳパケットに付加した時刻情報と、現在時刻情報の時間差をＮ分の一し、これにＮ倍速再生開始時の時刻を加算した新たなパケット出力時刻を求め、この値に現在時刻情報が一致したときにＴＳパケットの出力許可を行い、ピクチャの先頭でないデータをペイロードとするＴＳパケットは、ＴＳパケットの間隔が、受信時のＴＳパケット間隔と等しくなるようにしたので、トランスポートストリームが正確なＮ倍速の再生速度で出力することができ、また後段に接続するデマルチプレクサ入力バッファのオーバーフローを避けることができる。
【００３７】
請求項１４のデジタル映像信号記録方法によれば、計測された到達時刻を示す到達時刻情報を、ＴＳパケットに付加し、解析されたピクチャ種別を示すピクチャ種別情報をＴＳパケットに付加し、到達時刻情報及びピクチャ種別情報が付加されたＴＳパケットを記録媒体に記録するので、到達時刻情報に応じた時刻に、この到達時刻情報を付加しているＴＳパケットをバッファ手段から出力させる、ＴＳパケット毎の再生時刻の制御が可能になり、通常再生時には本来のトランスポートストリームの再生レートが再現でき、また、特殊再生時には所望の再生速度で正確にトランスポートストリームを出力できる。
【００３８】
請求項１５のデジタル映像信号再生方法によれば、出力された到達時刻情報に応じた時刻に、この到達時刻情報を付加しているＴＳパケットをバッファ手段から出力させて、ＴＳパケットの再生時刻を制御するので、通常再生時には本来のトランスポートストリームの再生レートが再現でき、また、特殊再生時には所望の再生速度で正確にトランスポートストリームを出力できる。
【００３９】
また、請求項１６のデジタル映像信号再生装置によれば、計測する現在時刻が、ＴＳパケットに付加された到達時刻情報に基づく時刻に一致したときに、ＴＳパケットをバッファ手段から出力させるので、通常再生時には本来のトランスポートストリームの再生レートが再現できる。
【００４０】
また、請求項１７のデジタル映像信号再生方法によれば、Ｎ倍速再生の開始時に、最初のＴＳパケットの時刻情報で初期化するようにし、さらにＮ倍速再生時に、ＴＳパケットに付加した時刻情報と、現在時刻情報の時間差をＮ分の一し、これにＮ倍速再生開始時の時刻を加算した新たなパケット出力時刻を求め、この値に現在時刻情報が一致したときにＴＳパケットをバッファ手段から出力させるので、トランスポートストリームが正確なＮ倍速の再生速度で出力することができる。
【００４１】
また、請求項１８のデジタル映像信号再生方法によれば、Ｎ倍速再生の開始時に、最初のＴＳパケットの時刻情報で初期化するようにし、さらにＮ倍速再生時のピクチャ先頭データを格納するＴＳパケットを出力する場合にのみ、ＴＳパケットに付加した時刻情報と、現在時刻情報の時間差をＮ分の一し、これにＮ倍速再生開始時の時刻を加算した新たなパケット出力時刻を求め、この値に現在時刻計測手段が示す現在時刻情報が一致したときにＴＳパケットの出力許可を行い、ピクチャの先頭でないデータをペイロードとするＴＳパケットは、ＴＳパケットの間隔が、受信時のＴＳパケット間隔と等しくなるように制御するので、トランスポートストリームが正確なＮ倍速の再生速度で出力することができ、また後段に接続するデマルチプレクサ入力バッファのオーバーフローを避けることができる。
【発明を実施するための最良の形態】
【００４２】
先ず、実施の形態１から３までに係るデジタル映像信号記録再生装置が受信するデジタル符号化信号であるＭＰＥＧ２方式のトランスポートストリーム（ＴＳ）について説明する。図２は、ＭＰＥＧ２におけるトランスポートストリームの構成図である。図２において、２０はトランスポートストリーム、２１はトランスポートパケット（ＴＳパケット）、２２はトランスポートヘッダ（ＴＳヘッダ）、２３はペイロード、２４はＰＥＳ（Packetized  Elementary  Stream）パケットストリーム、２５はＰＥＳパケット、２６はＰＥＳヘッダ、２７はＰＥＳデータ領域、２８はエレメンタリーストリームである。
【００４３】
デジタル放送で用いられるトランスポートストリーム２０は、１８８バイトのＴＳパケット２１により構成される。それぞれのＴＳパケット２１は、ＴＳヘッダ２２とペイロード２３とから構成される。トランスポートストリーム２０は複数のデータを多重して伝送することが可能である。ＴＳヘッダ２２内には、そのＴＳパケット２１のペイロード２３のデータを識別するためのＰＩＤ（パケット識別子）とよばれるフィールドが含まれる。同一のＰＩＤを持つペイロードを結合することで所望のデータを抽出することができる。
【００４４】
ＴＳヘッダ２２内のＰＩＤが同一のＴＳパケット２１のペイロード２３を結合すると、ＰＥＳパケット２５が得られる。ＰＥＳパケットストリーム２４のそれぞれのＰＥＳパケット２５は、ＰＥＳヘッダ２６とＰＥＳパケットのデータ領域２７で構成されている。また、ＰＥＳパケット２５の長さは任意である。ＰＥＳパケット２５において、ＰＥＳヘッダ２６を取除きＰＥＳパケットのデータ領域２７を結合して構成されたものがエレメンタリーストリーム２８である。エレメンタリーストリーム２８は、ＭＰＥＧ２方式により高能率符号化された映像や音声データである。
【００４５】
ＭＰＥＧ２における画像は、各フレーム毎に、Ｉピクチャ（フレーム内符号化画像（Intra-Picture））、Ｐピクチャ（フレーム間順方向予測符号化画像（Predictive-Picture））、Ｂピクチャ（双方向予測符号化画像（Bidirectionally  Predictive-Picture））の３種類のピクチャによって構成されている。これらのうち、自分自身が有するデータで復号できるピクチャは、Ｉピクチャのみである。従って、Ｉピクチャの復号は、他のＰ又はＢピクチャ無しで行うことができる。なお、Ｐピクチャ、Ｂピクチャの再生は、Ｉピクチャあるいは他のＰピクチャを必要とする。ランダムアクセスのように、画像の動き予測の前後関係が崩れるような再生動作は、Ｉピクチャにアクセスし、これを再生することにより実現する。従って、早送り等の特殊再生を行う場合には、ランダムアクセスが発生するので必ずＩピクチャへのアクセスが行われる。
【００４６】
図１は、本発明の実施の形態１から３までに係るデジタル映像信号記録再生装置（実施の形態１から３までに係るデジタル映像信号記録再生方法を実施する装置）の構成を示すブロック図である。
【００４７】
図１に示されるように、実施の形態１から３までに係るデジタル映像信号記録再生装置は、受信されたトランスポートパケットの到達時刻を計測する受信時刻表示タイマー１０と、受信時刻表示タイマー１０によって計測された到達時刻を示す到達時刻情報であるタイムスタンプを、トランスポートパケットに付加するタイムスタンプ付加部１１と、前記トランスポートパケットからピクチャ種別を解析し、解析されたピクチャ種別を示すピクチャ種別フラグをトランスポートパケットに付加するピクチャ種別解析・フラグ付加部１２と、タイムスタンプ及びピクチャ種別フラグが付加されたトランスポートパケットを記録媒体１４に記録するデータ記録部１３とを有する。
【００４８】
また、実施の形態１から３までに係るデジタル映像信号記録再生装置は、記録媒体１４からタイムスタンプ及びピクチャ種別フラグが付加されたトランスポートパケットを読み出すデータ読み出し部１５と、データ読み出し部１５により読み出されたトランスポートパケットに付加されているピクチャ種別フラグに基づいて再生するトランスポートパケットのみを選択的に出力するピクチャ抽出部１６と、ピクチャ抽出部１６により選択されたトランスポートパケットに付加されているタイムスタンプを解析して、出力するタイムスタンプ抽出部１７と、タイムスタンプ抽出部１７から出力されたＴＳパケットを一時的に保持する出力バッファ１９と、タイムスタンプ抽出部１７から出力されたタイムスタンプに応じた時刻に、このタイムスタンプを付加しているＴＳパケットを出力バッファ１９から出力させて、ＴＳパケット毎に再生時刻を制御する再生速度制御部１８とを有する。
【００４９】
記録媒体１４は、デジタル映像信号記録再生装置の一部として備えられている記憶装置（例えば、ハードディスク装置等）である場合と、デジタル映像信号記録再生装置に挿入及び取り出しできる記録媒体（例えば、光ディスクや磁気ディスク等）である場合とがある。
【００５０】
デジタル放送チューナ等（図示せず）で受信されたトランスポートストリーム２０を、記録媒体１４に記録する処理は以下のようになされる。先ず、受信されたトランスポートストリーム２０は、タイムスタンプ付加部１１に入力される。タイムスタンプ付加部１１は、ＴＳパケットを検出すると、その到達時刻を表すタイムスタンプをＴＳパケットに付加する。このタイムスタンプの値は、システムクロックでカウントアップされる受信時刻表示タイマー１０を、ＴＳパケットの受信をトリガとして参照したときの値に等しい。
【００５１】
図３は、実施の形態１から３までに係るデジタル映像信号記録再生装置おけるタイムスタンプ挿入位置を示す図である。図３に示されるように、タイムスタンプ３１はＴＳパケットのヘッダの第一バイトにある同期バイト３０の直後に挿入することができる。なお、図において、３２はタイムスタンプ３１が挿入された後のヘッダ（同期バイト３０を除く部分）を示す、３３はペイロードを示す。また、タイムスタンプ３１の挿入位置は、図３の位置に限定されない。
【００５２】
タイムスタンプ付加部１１から出力されるＴＳパケット（図３の符号３４）は、ピクチャ種別解析・フラグ付加部１２に転送される。ここではペイロードに画像データが存在するか否かを解析し、画像データが存在する場合には、そのピクチャ種別、即ち、Ｉフレーム、Ｐフレーム、Ｂフレームのいずれであるかを解析し、その結果をピクチャ種別フラグとしてＴＳパケット３４に挿入する。
【００５３】
図４は、実施の形態１から３までに係るデジタル映像信号記録再生装置おけるピクチャ種別フラグ挿入位置を示す図である。図４に示されるように、ピクチャ種別フラグ４０の挿入位置は、同期バイト３０とタイムスタンプフィールド３１の間とすることができる。ただし、ピクチャ種別フラグ４０の挿入位置は、図４の位置に限定されない。
【００５４】
このようにタイムスタンプとピクチャ種別が付加されたＴＳパケット４１は、データ記録部１３に送られ、記録媒体１４に記録される。
【００５５】
次に、記録媒体１４に記録されているデータの再生処理について説明する。記録媒体１４に記録されているデータは、データ読み出し部１５によりＴＳパケット単位で読み出される。読み出されたデータは、ピクチャ抽出部１６に送られる。早送り再生の際、ピクチャ抽出部１６は読み出されたデータのＴＳパケット４１に付加されたピクチャ種別フラグ４０を解析する。早送り再生の方法として、Ｉピクチャのみを出力する場合とＩピクチャ及びＰピクチャを出力する場合があるが、いずれの場合も解析したピクチャ種別フラグ４０が出力したいピクチャを表している場合にのみ、そのＴＳパケットをタイムスタンプ抽出部１７に転送する。この転送の際、付加されていたピクチャ種別フラグは除去される。
【００５６】
タイムスタンプ抽出部１７に転送されたＴＳパケット３４は、ＴＳパケット３４に付加されたタイムスタンプ３１を抽出し、これを再生速度制御部１８に送る。タイムスタンプ抽出部１７で、トランスポートストリームはタイムスタンプ３１が除去され、出力バッファ１９に転送される。出力バッファ１９に蓄積されたトランスポートストリーム２０は、再生速度制御部１８からの出力許可が通知されるまでバッファリングされる。
【００５７】
図５は、実施の形態１から３までに係るデジタル映像信号記録再生装置おける再生速度制御部を示す図である。図５に示されるように、再生速度制御部１８は、出力時刻タイマー５０と比較部５１で構成される。
【００５８】
再生速度制御部１８では、システムクロックでカウントされる出力時刻タイマー５０の値と抽出されたタイムスタンプの値を比較部５１で比較する。出力時刻タイマー５０は、最初のＴＳパケットの出力時に、そのＴＳパケットに付加されていたタイムスタンプにて初期化される。
【００５９】
出力時刻タイマー５０の値をＴ、タイムスタンプの値をＴＭＳとすると、通常速度での再生時には、Ｔ＝ＴＭＳとなったときに、再生速度制御部１８は、出力バッファ１９に出力許可を通知する。出力バッファ１９は、出力許可の受信により、バッファ１９内に蓄積されているＴＳパケット２０を後段のデマルチプレクサ（図示せず）に出力する。デマルチプレクサに転送されたＴＳパケット２０は、映像、音声に対応するデータに分離され、オーディオ・ビデオデコーダ（図示せず）でそれぞれ復号され、映像、音声の再生が行われる。
【００６０】
なお、実施の形態１から３までに係るデジタル映像信号記録再生装置の構成の中のデータ記録のための構成（受信時刻表示タイマー１０、タイムスタンプ付加部１１、ピクチャ種別解析・フラグ付加部１２、及びデータ記録部１３）から、デジタル映像信号記録装置（実施の形態１から３までに係るデジタル映像信号記録方法を実施する装置）を独立した装置として構成することもできる。
【００６１】
また、実施の形態１から３までに係るデジタル映像信号記録再生装置の構成の中のデータ再生のための構成（データ読み出し部１５、ピクチャ抽出部１６、タイムスタンプ抽出部１７、再生速度制御部１８、及び出力バッファ１９）から、デジタル映像記録再生装置（実施の形態１から３までに係るデジタル映像信号再生方法を実施する装置）を独立した装置として構成することもできる。
【００６２】
実施の形態１
図６は、本発明の実施の形態１に係るデジタル映像信号記録再生装置おける通常再生時の動作を示す図である。
【００６３】
図６に示されるように、記録媒体１４から読み出したＴＳパケットを、順に、
Ｉ＿Ａ０，Ｉ＿Ａ１，・・・・，Ｉ＿Ａｉ，
Ｂ＿Ａ０，Ｂ＿Ａ１，・・・・，Ｂ＿Ａｊ，
Ｐ＿Ａ０，Ｐ＿Ａ１，・・・・，Ｐ＿Ａｋ
と表わす。ここで、Ｉ＿Ａｉは、ＩピクチャＩ＿Ａのｉ番目のデータを含むＴＳパケットであること示す。同様に、Ｂ＿Ａｊは、ＢピクチャＢ＿Ａのｊ番目のデータを含むＴＳパケットであること示す。同様に、Ｐ＿Ａｋは、ＰピクチャＰ＿Ａのｋ番目のデータを含むＴＳパケットであること示す。
【００６４】
また、各ＴＳパケットに付加されたタイムスタンプのそれぞれを、図６に示されるように、
Ｔ（Ｉ＿Ａ０），Ｔ（Ｉ＿Ａ１），・・・・，Ｔ（Ｉ＿Ａｉ），
Ｔ（Ｂ＿Ａ０），Ｔ（Ｂ＿Ａ１），・・・・，Ｔ（Ｂ＿Ａｊ），
Ｔ（Ｐ＿Ａ０），Ｔ（Ｐ＿Ａ１），・・・・，Ｔ（Ｐ＿Ａｋ）
と表わす。
【００６５】
最初のＴＳパケットＩ＿Ａ０は、タイムスタンプ抽出部１７でタイムスタンプＴ（Ｉ＿Ａ０）が抽出され、この値で出力時刻タイマー５０が初期化されると同時に、再生速度制御部１８から出力バッファ１９へ出力許可が通知され、タイムスタンプが除去されたＴＳパケットＩ＿Ａ０が、出力バッファ１９からデマルチプレクサ（図示せず）へと出力される。
【００６６】
次のＴＳパケットＩ＿Ａ１は、同様にタイムスタンプ抽出部１７でタイムスタンプＴ（Ｉ＿Ａ１）が抽出され、タイムスタンプＴ（Ｉ＿Ａ１）の値が再生速度制御部１８へ送られ、タイムスタンプＴ（Ｉ＿Ａ１）が除去されたＴＳパケットＩ＿Ａ１が出力バッファ１９に保持される。比較部５１が出力時刻タイマー５０の値がタイムスタンプＴ（Ｉ＿Ａ１）に等しくなることを検出すると、比較部５１は出力バッファ１９に出力許可を通知し、タイムスタンプが除去されたＴＳパケットＩ＿Ａ１が、出力バッファ１９からデマルチプレクサに出力される。以降同様にして、順にＴＳパケットがデマルチプレクサに送られる。
【００６７】
実施の形態１に係るデジタル映像信号記録再生装置は、以上のようにタイムスタンプにより出力バッファ１９に一時的に蓄積したＴＳパケットの出力タイミングを制御する。このように、通常再生時には、受信したＴＳパケットの間隔をタイムスタンプにより再現してデマルチプレクサに出力するので、記録したトランスポートストリームの再生時においても正確にトランスポートストリームのレートが再現できる。このため、後段のデマルチプレクサにおいては正確なシステムクロックの再生が可能となる。
【００６８】
また、記録したトランスポートストリームの再生時において正確にトランスポートストリームのレートの再現ができるので、デマルチプレクサの入力バッファへのＴＳパケットの転送において、フロー制御を行う必要がない。一般的なデマルチプレクサＬＳＩにおいては、トランスポートストリーム入力ポートが、フロー制御方式の入力形式を採用していないので、実施の形態１の装置及び方法は、デマルチプレクサＬＳＩ入力ポートへの親和性が高い。
【００６９】
実施の形態２
実施の形態２に係るデジタル映像信号記録再生装置の構成は、ピクチャ抽出部１６及び再生速度制御部１８における制御内容を除き、上記実施の形態１の構成と同じである。
【００７０】
実施の形態２に係るデジタル映像信号記録再生装置におけるＮ倍速早送り再生動作は以下の通りである。
【００７１】
Ｎ（Ｎは正の値）倍速早送り再生においては、ピクチャ抽出部１６からは、例えば、ＩピクチャとＰピクチャのＴＳパケットのみが出力され、ＢピクチャのＴＳパケットは削除される。ピクチャ抽出部１６から出力された第ｆ（ｆは０以上の整数）番フレームのピクチャ（ここでは、Ｉピクチャ又はＰピクチャ）が第０番から第Ｍ番（Ｍは正の整数）までのＴＳパケットとして送信されるときに、第ｆ番フレームのピクチャの一部を構成する第ｐ番（ｐは０以上Ｍ以下の整数）ＴＳパケットの到達時刻をＴ（Ｉｆ＿Ａｐ）と表わすものとする。
【００７２】
出力時刻タイマー５０は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始する。
【００７３】
再生速度制御部１８の比較部５１は、
＜処理２−１＞  再生対象のＴＳパケットの到達時刻Ｔ（Ｉｆ＿Ａｐ）から第１番フレームのピクチャの一部を構成する第１番ＴＳパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜処理２−２＞  時間ｔｄ１をＮ分の一にした値ｔｄ１／Ｎに、第１番フレームのピクチャの一部を構成する第１番ＴＳパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜処理２−３＞  時刻Ｔａに出力時刻タイマー５０が計測する現在時刻が一致したかどうかを判定し、
＜処理２−４＞  時刻Ｔａに出力時刻タイマー５０が計測する現在時刻が一致したときに、第ｆ番フレームのピクチャの一部を構成する第ｐ番ＴＳパケットを出力バッファ１９からデマルチプレクサに出力させ、
＜処理２−５＞  前記＜処理２−１＞から＜処理２−４＞までを、第１番フレームのピクチャの一部を構成する第１番ＴＳパケットから順に実行する。
【００７４】
デマルチプレクサに転送されたＴＳパケット２１は、映像、音声に対応するデータに分離され、オーディオ・ビデオデコーダでそれぞれ復号することによって映像、音声の再生が行われる。
【００７５】
図７は、本発明の実施の形態２に係るデジタル映像信号記録再生装置おける２倍速再生時の動作を示す図である。ここではピクチャ抽出部１６にてＩピクチャ及びＰピクチャのみを後段に出力するようにした場合の動作を説明する。なお、図７において、Ｉ＿Ａｉは、ＩピクチャＩ＿Ａのｉ番目のデータを含むＴＳパケット、Ｂ＿Ａｊは、ＢピクチャＢ＿Ａのｊ番目のデータを含むＴＳパケット、Ｐ＿Ａｋは、ＰピクチャＰ＿Ａのｋ番目のデータを含むＴＳパケットであること示す。また、図７において、各ＴＳパケットに付加されたタイムスタンプのそれぞれを、
Ｔ（Ｉ＿Ａ０），Ｔ（Ｉ＿Ａ１），・・・・，Ｔ（Ｉ＿Ａｉ），
Ｔ（Ｂ＿Ａ０），Ｔ（Ｂ＿Ａ１），・・・・，Ｔ（Ｂ＿Ａｊ），
Ｔ（Ｐ＿Ａ０），Ｔ（Ｐ＿Ａ１），・・・・，Ｔ（Ｐ＿Ａｋ）
と表わす。
【００７６】
２倍速再生指示を受信した後、最初のＴＳパケットＩ＿Ａ０は、タイムスタンプ抽出部１７でタイムスタンプＴ（Ｉ＿Ａ０）が抽出され、この値で出力時刻タイマー５０が初期化される。これと同時に、再生速度制御部１８から出力バッファ１９へ出力許可が通知され、タイムスタンプが除去されたＴＳパケットＩ＿Ａ０が、デマルチプレクサへと出力される。
【００７７】
次のＴＳパケットＩ＿Ａ１は、同様にタイムスタンプ抽出部でタイムスタンプＴ（Ｉ＿Ａ１）が抽出される。この値が再生速度制御部１８へ送られ、出力時刻タイマー５０の値が
｛Ｔ（Ｉ＿Ａ１）−Ｔ（Ｉ＿Ａ０）｝／２＋Ｔ（Ｉ＿Ａ０）
に等しくなったことを比較部５１が検出すると、出力バッファ１９へ出力許可が通知され、タイムスタンプが除去されたＴＳパケットＩ＿Ａ１が、出力バッファ１９からデマルチプレクサへと出力される。
【００７８】
以降同様にして、ＴＳパケットＩ＿Ａ２からＴＳパケットＩ＿Ａｉ（ｉは正の整数）までがデマルチプレクサに送られる。ここまでのデータにより、１枚のＩピクチャＩ＿Ａが復号され表示される。
【００７９】
記録媒体１４から読み出した次のＴＳパケットＢ＿Ａ０は、ピクチャ抽出部１６にてＢピクチャであることが検出され削除される。同様に、ＴＳパケットＢ＿Ａ１，・・・・，Ｂ＿Ａｊ（ｊは正の整数）も削除される。
【００８０】
記録媒体１４から読み出した次のＴＳパケットＰ＿Ａ０は、ピクチャ抽出部１６にてＰピクチャであることが検出されるので、ピクチャ種別フラグが削除され後段のタイムスタンプ抽出部１７に送られる。
【００８１】
ＴＳパケットＰ＿Ａ０は、タイムスタンプ抽出部１７でタイムスタンプＴ（Ｐ＿Ａ０）が抽出され、この値が再生速度制御部１９へ送られ、出力時刻タイマー５０の値が
｛Ｔ（Ｐ＿Ａ１）−Ｔ（Ｉ＿Ａ０）｝／２＋Ｔ（Ｉ＿Ａ０）
に等しくなったことを比較部５１が検出すると、出力バッファ１９へ出力許可が通知され、タイムスタンプが除去されたＴＳパケットＰ＿Ａ１が、出力バッファ１９からデマルチプレクサへと出力される。
【００８２】
以降同様にして、ＴＳパケットＰ＿Ａ２からＴＳパケットＰ＿Ａｉまでがデマルチプレクサに送られる。ここまでのデータにより、１枚のＰピクチャＰ＿Ａが復号され表示される。
【００８３】
以上に説明したように、実施の形態２に係るデジタル映像信号記録再生装置は、Ｍ倍速早送り再生時にもタイムスタンプにより所望の再生速度になるように出力タイミングの制御を行うため、任意倍速の特殊再生が正確な再生速度で実現できる。
【００８４】
なお、実施の形態２において、上記以外の点は、上記実施の形態１と同じである。
【００８５】
実施の形態３
実施の形態２に係るデジタル映像信号記録再生装置の構成は、再生速度制御部１８における制御内容を除き、上記実施の形態２の構成と同じである。上記実施の形態２においては、Ｍ倍速の早送り再生を行う場合に、全てのＴＳパケットに対して同じ速度制御を行うようにした。実施の形態３においては、ピクチャ先頭を含むＴＳパケットに対してのみ上記実施の形態２における速度制御（即ち、Ｍ倍速の早送り再生における速度制御）と同じ制御を行い、それ以外のＴＳパケットに対しては上記実施の形態１における速度制御（即ち、通常再生時における速度制御）と同じ制御を行うようにする。
【００８６】
Ｎ（Ｎは正の値）倍速早送り再生においては、ピクチャ抽出部１６からは、例えば、ＩピクチャとＰピクチャのＴＳパケットのみが出力され、ＢピクチャのＴＳパケットは削除される。ピクチャ抽出部１６から出力された第ｆ（ｆは０以上の整数）番フレームのピクチャ（ここでは、Ｉピクチャ又はＰピクチャ）が第０番から第Ｍ番（Ｍは正の整数）までのＴＳパケットとして送信されるときに、第ｆ番フレームのピクチャの一部を構成する第ｐ番（ｐは０以上Ｍ以下の整数）ＴＳパケットの到達時刻をＴ（Ｉｆ＿Ａｐ）と表わす。
【００８７】
出力時刻タイマー５０は、再生開始と同時に、その計測値を、最初に受信する第１番フレームのピクチャの一部を構成する第１番ＴＳパケットの到達時刻Ｔ（Ｉ０＿Ａ０）で初期化してから現在時刻の計測を開始する。
【００８８】
再生速度制御部１８の比較部５１は、ピクチャ先頭データを格納する第ｆ番フレームのピクチャの一部を構成する第１番ＴＳパケットを出力する場合に、
＜処理３Ａ−１＞  再生対象のＴＳパケットの到達時刻Ｔ（Ｉｆ＿Ａ０）から最初のＴＳパケットの到達時刻Ｔ（Ｉ０＿Ａ０）を引いて得られる時間ｔｄ２を、次式
ｔｄ２＝Ｔ（Ｉｆ＿Ａ０）−Ｔ（Ｉ０＿Ａ０）
により求め、
＜処理３Ａ−２＞  時間ｔｄ２をＮ分の一にした値ｔｄ２／Ｎに、第１番フレームのピクチャの一部を構成する第１番ＴＳパケットの到達時刻Ｔ（Ｉ０＿Ａ０）を加算した時刻Ｔｂを、次式
Ｔｂ＝（ｔｄ２／Ｎ）＋Ｔ（Ｉ０＿Ａ０）
により求め、
＜処理３Ａ−３＞  時刻Ｔｂに出力時刻タイマー５０が計測する現在時刻が一致したかどうかを判定し、
＜処理３Ａ−４＞  時刻Ｔｂに出力時刻タイマー５０が計測する現在時刻が一致したときに、第ｆ番フレームのピクチャの一部を構成する第１番ＴＳパケットを出力バッファ１９からデマルチプレクサに出力させる。
【００８９】
また、再生速度制御部１８の比較部５１は、ピクチャ先頭データを格納しない各フレームのピクチャの一部を構成する第２番以降のＴＳパケットを出力する場合に、
＜処理３Ｂ−１＞  再生対象のＴＳパケットの到達時刻Ｔ（Ｉｆ＿Ａｕ）（ｕは１以上の整数）から同じフレームの最初のＴＳパケットの到達時刻Ｔ（Ｉｆ＿Ａ０）を引いて得られる時間ｔｄ３を、次式
ｔｄ３＝Ｔ（Ｉｆ＿Ａｕ）−Ｔ（Ｉｆ＿Ａ０）
により求め、
＜処理３Ｂ−２＞  時刻Ｔｂから時間ｔｄ３が経過した時刻Ｔｃを、次式
Ｔｃ＝Ｔｂ＋ｔｄ３
＝（ｔｄ２／Ｎ）＋Ｔ（Ｉ０＿Ａ０）＋Ｔ（Ｉｆ＿Ａｕ）−Ｔ（Ｉｆ＿Ａ０）
＝｛Ｔ（Ｉｆ＿Ａ０）−Ｔ（Ｉ０＿Ａ０）｝／Ｎ＋Ｔ（Ｉ０＿Ａ０）
＋Ｔ（Ｉｆ＿Ａｕ）−Ｔ（Ｉｆ＿Ａ０）
により求め、
＜処理３Ｂ−３＞  時刻Ｔｃに出力時刻タイマー５０が計測する現在時刻が一致したかどうかを判定し、
＜処理３Ｂ−４＞  時刻Ｔｃに出力時刻タイマー５０が計測する現在時刻が一致したときに、第ｆ番フレームのピクチャの一部を構成する第ｕ番ＴＳパケットを出力バッファ１９からデマルチプレクサに出力させる。
【００９０】
そして、＜処理３Ａ−１＞から＜処理３Ａ−４＞までを各フレームのピクチャの一部を構成する第１番ＴＳパケットについて、＜処理３Ｂ−１＞から＜処理３Ｂ−４＞までを、各フレームのピクチャの一部を構成する第２番以降のＴＳパケットについて実行する
【００９１】
図８は、本発明の実施の形態３に係るデジタル映像信号記録再生装置おける２倍速再生時の動作を示す図である。ここではピクチャ抽出部１６にてＩピクチャ及びＰピクチャのＴＳパケットのみを後段に出力するようにした場合の動作を説明する。なお、図７において、Ｉ＿Ａｉは、ＩピクチャＩ＿Ａのｉ番目のデータを含むＴＳパケット、Ｂ＿Ａｊは、ＢピクチャＢ＿Ａのｊ番目のデータを含むＴＳパケット、Ｐ＿Ａｋは、ＰピクチャＰ＿Ａのｋ番目のデータを含むＴＳパケットであること示す。また、図７において、各ＴＳパケットに付加されたタイムスタンプのそれぞれを、
Ｔ（Ｉ＿Ａ０），Ｔ（Ｉ＿Ａ１），・・・・，Ｔ（Ｉ＿Ａｉ），
Ｔ（Ｂ＿Ａ０），Ｔ（Ｂ＿Ａ１），・・・・，Ｔ（Ｂ＿Ａｊ），
Ｔ（Ｐ＿Ａ０），Ｔ（Ｐ＿Ａ１），・・・・，Ｔ（Ｐ＿Ａｋ）
と表わす。
【００９２】
２倍速再生指示を受信した後、最初のＴＳパケットＩ＿Ａ０は、タイムスタンプ抽出部１７でタイムスタンプＴ（Ｉ＿Ａ０）が抽出され、この値で出力時刻タイマー５０が初期化される。これと同時に、再生速度制御部１８から出力バッファ１９へ出力許可が通知され、タイムスタンプが除去されたＴＳパケットＩ＿Ａ０が、デマルチプレクサへと出力される。
【００９３】
次のＴＳパケットＩ＿Ａ１は、同様にタイムスタンプ抽出部１７でタイムスタンプＴ（Ｉ＿Ａ１）が抽出される。この値が再生速度制御部１８へ送られ出力時刻タイマー５０の値が抽出したタイムスタンプＴ（Ｉ＿Ａ１）に等しくなったことを比較部５１が検出すると、出力バッファ１９へ出力許可が通知され、タイムスタンプが除去されたＴＳパケットＩ＿Ａ１が、出力バッファ１９からデマルチプレクサへと出力される。
【００９４】
以降同様にして、ＴＳパケットＩ＿Ａ２からＴＳパケットＩ＿Ａｉ（ｉは正の整数）までがデマルチプレクサに送られる。ここまでのデータにより、１枚のＩピクチャＩ＿Ａが復号され表示される。
【００９５】
記録媒体１４から読み出した次のＴＳパケットＢ＿Ａ０は、ピクチャ抽出部１６にてＢピクチャであることが検出され削除される。同様に、ＴＳパケットＢ＿Ａ１，・・・・，Ｂ＿Ａｊ（ｊは正の整数）も削除される。
【００９６】
記録媒体１４から読み出した次のＴＳパケットＰ＿Ａ０は、ピクチャ抽出部１６にてＰピクチャであることが検出されるので、ピクチャ種別フラグが削除され後段のタイムスタンプ抽出部１７に送られる。
【００９７】
ＴＳパケットＰ＿Ａ０は、タイムスタンプ抽出部１７でタイムスタンプＴ（Ｐ＿Ａ０）が抽出され、この値が再生速度制御部１８へ送られる。このＴＳパケットのペイロードにはＰピクチャの先頭データが格納されているため、次のように出力タイミング制御を変更する。即ち、出力時刻タイマー５０の値が
｛Ｔ（Ｐ＿Ａ０）−Ｔ（Ｉ＿Ａ０）｝／２＋Ｔ（Ｉ＿Ａ０）
に等しくなったことを比較部５１が検出すると、出力バッファ１９へ出力許可が通知され、タイムスタンプが除去されたＴＳパケットＰ＿Ａ０が、出力バッファ１９からデマルチプレクサへと出力される。
【００９８】
次のＴＳパケットＰ＿Ａ１は、同様にタイムスタンプ抽出部１７でタイムスタンプＴ（Ｐ＿Ａ１）が抽出される。この値が再生速度制御部１８へ送られるが、このＴＳパケットのペイロードにはピクチャ先頭ではないデータが格納されているため、次のように出力タイミングを変更する。即ち、出力時刻タイマー５０の値が、
Ｔ（Ｐ＿Ａ１）−Ｔ（Ｐ＿Ａ０）
＋｛Ｔ（Ｐ＿Ａ０）−Ｔ（Ｉ＿Ａ０）｝／２＋Ｔ（Ｉ＿Ａ０）
に等しくなったことを比較部５１が検出すると、出力バッファ１９へ出力許可が通知され、タイムスタンプが除去されたＴＳパケットＰ＿Ａ１が、出力バッファ１９からデマルチプレクサへと出力される。
【００９９】
以降同様にして、ＴＳパケットＰ＿Ａ２からＴＳパケットＰ＿Ａｉまでがデマルチプレクサに送られる。ここまでのデータにより、１枚のＰピクチャＰ＿Ａが復号され表示される。
【０１００】
実施の形態３に係るデジタル映像信号記録再生装置は、Ｍ倍速早送り再生時にもタイムスタンプにより所望の再生速度になるように出力タイミングの制御を行うため、任意倍速の特殊再生を正確な再生速度で実現することができる。
【０１０１】
また、Ｍ倍速再生時に、上記実施の形態２では１ピクチャ全体がＭ倍の転送レートで出力されるため、後段のデマルチプレクサの入力バッファのオーバーフローが発生する可能性がある。実施の形態３において、ピクチャを構成する第２番目以降の各ＴＳパケットは、通常再生時のレートで出力されるため、後段のデマルチプレクサ入力バッファのオーバーフローが発生することはない。
【０１０２】
なお、実施の形態３において、上記以外の点は、上記実施の形態１又は２と同じである。
【図面の簡単な説明】
【０１０３】
【図１】本発明の実施の形態１から３までに係るデジタル映像信号記録再生装置(実施の形態１〜３に係るデジタル映像信号記録再生方法を実施する装置)の構成を示すブロック図である。
【図２】ＭＰＥＧ２におけるトランスポートストリームの構成図である。
【図３】本発明の実施の形態１から３までに係るデジタル映像信号記録再生装置おけるタイムスタンプ挿入位置を示す図である。
【図４】本発明の実施の形態１から３までに係るデジタル映像信号記録再生装置おけるピクチャ種別フラグ挿入位置を示す図である。
【図５】本発明の実施の形態１から３までに係るデジタル映像信号記録再生装置おける再生速度制御部を示す図である。
【図６】本発明の実施の形態１に係るデジタル映像信号記録再生装置おける通常再生時の動作を示す図である。
【図７】本発明の実施の形態２に係るデジタル映像信号記録再生装置おける２倍速再生時の動作を示す図である。
【図８】本発明の実施の形態３に係るデジタル映像信号記録再生装置おける２倍速再生時の動作を示す図である。
【符号の説明】
【０１０４】
１０  受信時刻表示タイマー、  １１  タイムスタンプ付加部、  １２  ピクチャ種別解析／フラグ付加部、  １３  データ記録部、  １４  記録媒体、  １５  データ読み出し部、  １６  ピクチャ抽出部、  １７  タイムスタンプ抽出部、  １８  再生速度制御部、  １９  出力バッファ、  ２０  トランスポートストリーム（ＴＳ）、  ２１  トランスポートパケット（ＴＳパケット）、  ２２  トランスポートヘッダ（ＴＳヘッダ）、  ２３  ペイロード、  ２４  ＰＥＳパケットストリーム、  ２５  ＰＥＳパケット、  ２６  ＰＥＳヘッダ、  ２７  ＰＥＳデータ領域、  ２８  エレメンタリーストリーム、  ３０  同期バイト、  ３１  タイムスタンプ、  ３２  ヘッダ、  ３３  ペイロード、  ４０  ピクチャ種別、  ４１  ピクチャ種別フラグが付加されたトランスポートパケット、  ５０  出力タイマー、  ５１  比較部。
【図１】
2007097200.tif 000003
【図２】
2007097200.tif 000004
【図３】
2007097200.tif 000005
【図４】
2007097200.tif 000006
【図５】
2007097200.tif 000007
【図６】
2007097200.tif 000008
【図７】
2007097200.tif 000009
【図８】
2007097200.tif 000010
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
受信されたトランスポートパケットの到達時刻を計測する受信時刻計測手段と、
前記受信時刻計測手段によって計測された到達時刻を示す到達時刻情報を、前記トランスポートパケットに付加する時刻情報付加手段と、
前記トランスポートパケットからピクチャ種別を解析するピクチャ種別解析手段と、
前記ピクチャ種別解析手段により解析されたピクチャ種別を示すピクチャ種別情報を前記トランスポートパケットに付加する種別情報付加手段と、
到達時刻情報及びピクチャ種別情報が付加されたトランスポートパケットを記録媒体に記録する記録手段と、
前記記録媒体から到着時刻情報及びピクチャ種別情報が付加されたトランスポートパケットを読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を備えるデジタル映像信号記録再生装置であって、
前記選択手段は、前記ピクチャー種別情報が示すピクチャ種別がＩピクチャであるトランスポートパケットのみを選択して出力するとともに、
前記再生速度制御手段は、初期化された時刻から計測を開始した現在時刻を計測する現在時刻計測手段を含むこと
を特徴とするデジタル映像信号記録再生装置。
【請求項２】
受信されたトランスポートパケットの到達時刻を計測する受信時刻計測手段と、
前記受信時刻計測手段によって計測された到達時刻を示す到達時刻情報を、前記トランスポートパケットに付加する時刻情報付加手段と、
前記トランスポートパケットからピクチャ種別を解析するピクチャ種別解析手段と、
前記ピクチャ種別解析手段により解析されたピクチャ種別を示すピクチャ種別情報を前記トランスポートパケットに付加する種別情報付加手段と、
到達時刻情報及びピクチャ種別情報が付加されたトランスポートパケットを記録媒体に記録する記録手段と、
前記記録媒体から到着時刻情報及びピクチャ種別情報が付加されたトランスポートパケットを読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を備えるデジタル映像信号記録再生装置であって、
前記選択手段は、前記ピクチャー種別情報が示すピクチャ種別がＩピクチャであるトランスポートパケットとＰピクチャであるトランスポートパケットとを選択して出力するとともに、
前記再生速度制御手段は、初期化された時刻から計測を開始した現在時刻を計測する現在時刻計測手段を含むこと
を特徴とするデジタル映像信号記録再生装置。
【請求項３】
選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、再生速度制御手段は、
＜３−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜３−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜３−３＞  時刻Ｔａに前記現在時刻計測手段が計測する現在時刻が一致したかどうかを判定し、
＜３−４＞  時刻Ｔａに前記現在時刻計測手段が計測する現在時刻が一致したときに、第ｆ番フレームのピクチャの一部を構成する第ｐ番トランスポートパケットを前記バッファ手段から出力させ、
＜３−５＞  前記処理＜３−１＞から＜３−４＞までを、第１番フレームのピクチャの一部を構成する第１番トランスポートパケットから順に実行すること
を特徴とする請求項１または２に記載のデジタル映像信号記録再生装置。
【請求項４】
受信されたトランスポートパケットの到達時刻を示す到達時刻情報及びトランスポートストリームのピクチャ種別を示すピクチャ種別情報が付加されたトランスポートパケットを記録媒体から読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を備えるデジタル映像信号再生装置であって、
前記選択手段は、前記ピクチャー種別情報が示すピクチャ種別がＩピクチャであるトランスポートパケットのみを選択して出力するとともに、
前記再生速度制御手段が、初期化された時刻から計測を開始した現在時刻を計測する現在時刻計測手段を含むこと
を特徴とするデジタル映像信号記録再生装置。
【請求項５】
受信されたトランスポートパケットの到達時刻を示す到達時刻情報及びトランスポートストリームのピクチャ種別を示すピクチャ種別情報が付加されたトランスポートパケットを記録媒体から読み出す読み出し手段と、
前記読み出し手段により読み出されたトランスポートパケットに付加されているピクチャ種別情報に基づいて再生するトランスポートパケットのみを選択して出力する選択手段と、
前記選択手段により選択されたトランスポートパケットに付加されている到達時刻情報を解析して、出力する時刻情報解析手段と、
前記選択手段から出力されたトランスポートパケットを一時的に保持するバッファ手段と、
前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段と
を備えるデジタル映像信号再生装置であって、
前記選択手段は、前記ピクチャー種別情報が示すピクチャ種別がＩピクチャであるトランスポートパケットとＰピクチャであるトランスポートパケットとを選択して出力するとともに、
前記再生速度制御手段が、初期化された時刻から計測を開始した現在時刻を計測する現在時刻計測手段を含むこと
を特徴とするデジタル映像信号記録再生装置。
【請求項６】
選択手段から出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
現在時刻計測手段は、再生開始と同時に、その計測値を、最初に受信する第１番フレームのピクチャの一部を構成する第１番トランスポートパケットの到達時刻Ｔ（Ｉ０＿Ａ０）で初期化してから現在時刻の計測を開始し、
Ｎ（Ｎは正の値）倍速再生時において、再生速度制御手段は、
＜６−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜６−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜６−３＞  時刻Ｔａに前記現在時刻計測手段が計測する現在時刻が一致したかどうかを判定し、
＜６−４＞  時刻Ｔａに前記現在時刻計測手段が計測する現在時刻が一致したときに、第ｆ番フレームのピクチャの一部を構成する第ｐ番トランスポートパケットを前記バッファ手段から出力させ、
＜６−５＞  前記処理＜６−１＞から＜６−４＞までを、第１番フレームのピクチャの一部を構成する第１番トランスポートパケットから順に実行すること
を特徴とする請求項４または５に記載のデジタル映像信号再生装置。
【請求項７】
時刻情報付加手段は、受信されたトランスポートパケットを構成する同期バイトとヘッダの間に、到達時刻情報を挿入すること
を特徴とする請求項１乃至６のいずれか１項に記載のデジタル映像信号再生装置。
【請求項８】
受信されたトランスポートパケットの到達時刻を計測し、
前記計測された到達時刻を示す到達時刻情報を、前記トランスポートパケットに付加し、
前記トランスポートパケットからピクチャ種別を解析し、
前記解析されたピクチャ種別を示すピクチャ種別情報を前記トランスポートパケットに付加し、
到達時刻情報及びピクチャ種別情報が付加されたトランスポートパケットを記録媒体に記録し、
前記記録媒体から到着時刻情報及びピクチャ種別情報が付加されたトランスポートパケットを読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保持し、
前記解析された到達時刻情報に応じた時刻に、この到達時刻情報を付加しているトランスポートパケットを前記バッファ手段から出力させて、トランスポートパケットの再生時刻を制御するデジタル映像信号記録再生方法であって、
選択されるトランスポートパケットに付加されている前記ピクチャー種別情報が示すピクチャ種別は、Ｉピクチャのみであるとともに、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始すること
を特徴とするデジタル映像信号記録再生方法。
【請求項９】
受信されたトランスポートパケットの到達時刻を計測し、
前記計測された到達時刻を示す到達時刻情報を、前記トランスポートパケットに付加し、
前記トランスポートパケットからピクチャ種別を解析し、
前記解析されたピクチャ種別を示すピクチャ種別情報を前記トランスポートパケットに付加し、
到達時刻情報及びピクチャ種別情報が付加されたトランスポートパケットを記録媒体に記録し、
前記記録媒体から到着時刻情報及びピクチャ種別情報が付加されたトランスポートパケットを読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保持し、
前記解析された到達時刻情報に応じた時刻に、この到達時刻情報を付加しているトランスポートパケットを前記バッファ手段から出力させて、トランスポートパケットの再生時刻を制御するデジタル映像信号記録再生方法であって、
選択されるトランスポートパケットに付加されている前記ピクチャー種別情報が示すピクチャ種別は、ＩピクチャかＰピクチャのいずれかであるとともに、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始すること
を特徴とするデジタル映像信号記録再生方法。
【請求項１０】
Ｎ（Ｎは正の値）倍速再生時において、
＜１０−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜１０−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜１０−３＞  時刻Ｔａに現在時刻が一致したかどうかを判定し、
＜１０−４＞  時刻Ｔａに現在時刻が一致したときに、第ｆ番フレームのピクチャの一部を構成する第ｐ番トランスポートパケットを前記バッファ手段から出力させ、
＜１０−５＞  前記処理＜１０−１＞から＜１０−４＞までを、第１番フレームのピクチャの一部を構成する第１番トランスポートパケットから順に実行すること
を特徴とする請求項８または９に記載のデジタル映像信号記録再生方法。
【請求項１１】
受信されたトランスポートパケットの到達時刻を示す到達時刻情報及びトランスポートストリームのピクチャ種別を示すピクチャ種別情報が付加されたトランスポートパケットを記録媒体から読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保管し、
前記到達時刻情報に応じた時刻に、この到達時刻情報を付加しているトランスポートパケットを前記バッファ手段から出力させて、トランスポートパケットの再生時刻を制御するデジタル映像信号再生方法であって、
選択されるトランスポートパケットに付加されている前記ピクチャー種別情報が示すピクチャ種別は、Ｉピクチャのみであるとともに、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始すること
を特徴とするデジタル映像信号記録再生方法。
【請求項１２】
受信されたトランスポートパケットの到達時刻を示す到達時刻情報及びトランスポートストリームのピクチャ種別を示すピクチャ種別情報が付加されたトランスポートパケットを記録媒体から読み出し、
前記読み出されたトランスポートパケットに付加されているピクチャ種別情報に基づいて再生するトランスポートパケットのみを選択し、
前記選択されたトランスポートパケットに付加されている到達時刻情報を解析し、
前記選択されたトランスポートパケットを一時的にバッファ手段に保管し、
前記到達時刻情報に応じた時刻に、この到達時刻情報を付加しているトランスポートパケットを前記バッファ手段から出力させて、トランスポートパケットの再生時刻を制御するデジタル映像信号再生方法であって、
選択されるトランスポートパケットに付加されている前記ピクチャー種別情報が示すピクチャ種別は、ＩピクチャかＰピクチャのいずれかであるとともに、
ピクチャ種別情報に基づいて選択されて出力された第ｆ（ｆは０以上の整数）番フレームのピクチャが第０番から第Ｍ番（Ｍは正の整数）までのトランスポートパケットとして送信されるときに、第ｆ番フレームのピクチャの一部を構成する第ｐ番（ｐは０以上Ｍ以下の整数）トランスポートパケットの到達時刻をＴ（Ｉｆ＿Ａｐ）と表わし、
再生開始と同時に、現在時刻の計測値を、最初に受信する第１番フレームのピクチャの一部を構成する第１番トランスポートパケットの到達時刻Ｔ（Ｉ０＿Ａ０）で初期化してから現在時刻の計測を開始すること
を特徴とするデジタル映像信号記録再生方法。
【請求項１３】
Ｎ（Ｎは正の値）倍速再生時において、
＜１３−１＞  再生対象のトランスポートパケットの到達時刻Ｔ（Ｉｆ＿Ａｐ）から第１番フレームのピクチャの一部を構成する第１番トランスポートパケットの到達時刻Ｔ（Ｉ０＿Ａ０）を引いて得られる時間ｔｄ１を、次式
ｔｄ１＝Ｔ（Ｉｆ＿Ａｐ）−Ｔ（Ｉ０＿Ａ０）
により求め、
＜１３−２＞  時間ｔｄ１をＮ分の一にした値ｔｄ１／Ｎに、第１番フレームのピクチャの一部を構成する第１番トランスポートパケットの到達時刻Ｔ（Ｉ０＿Ａ０）を加算した時刻Ｔａを、次式
Ｔａ＝（ｔｄ１／Ｎ）＋Ｔ（Ｉ０＿Ａ０）
により求め、
＜１３−３＞  時刻Ｔａに現在時刻が一致したかどうかを判定し、
＜１３−４＞  時刻Ｔａに現在時刻が一致したときに、第ｆ番フレームのピクチャの一部を構成する第ｐ番トランスポートパケットを前記バッファ手段から出力させ、
＜１３−５＞  前記処理＜１３−１＞から＜１３−４＞までを、第１番フレームのピクチャの一部を構成する第１番トランスポートパケットから順に実行すること
を特徴とする請求項１１または１２に記載のデジタル映像信号再生方法。
【請求項１４】
到達時刻情報は、受信されたトランスポートパケットを構成する同期バイトとヘッダの間に、挿入されること
を特徴とする請求項８乃至１３のいずれか１項に記載のデジタル映像信号再生方法。
【手続補正２】
【補正対象書類名】明細書
【補正対象項目名】０００６
【補正方法】変更
【補正の内容】
【０００６】
請求項１に係るデジタル映像信号記録再生装置は、受信されたトランスポートパケットの到達時刻を計測する受信時刻計測手段と、前記受信時刻計測手段によって計測された到達時刻を示す到達時刻情報を、前記トランスポートパケットに付加する時刻情報付加手段と、前記トランスポートパケットからピクチャ種別を解析するピクチャ種別解析手段と、前記ピクチャ種別解析手段により解析されたピクチャ種別を示すピクチャ種別情報を前記トランスポートパケットに付加する種別情報付加手段と、到達時刻情報及びピクチャ種別情報が付加されたトランスポートパケットを記録媒体に記録する記録手段と、前記記録媒体から到着時刻情報及びピクチャ種別情報が付加されたトランスポートパケットを読み出す読み出し手段と、前記読み出し手段により読み出されたトランスポートパケットに付加されているピクチャ種別情報に基づいて再生するトランスポートパケットのみを選択して出力する選択手段と、前記選択手段により選択されたトランスポートパケットに付加されている到達時刻情報を解析して、出力する時刻情報解析手段と、前記選択手段から出力されたトランスポートパケットを一時的に保持するバッファ手段と、前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段とを備えるデジタル映像信号記録再生装置であって、前記選択手段は、前記ピクチャー種別情報が示すピクチャ種別がＩピクチャであるトランスポートパケットのみを選択して出力するとともに、前記再生速度制御手段は、初期化された時刻から計測を開始した現在時刻を計測する現在時刻計測手段を含むことを特徴としている。
【手続補正３】
【補正対象書類名】明細書
【補正対象項目名】０００７
【補正方法】変更
【補正の内容】
【０００７】
また、請求項２に係るデジタル映像信号記録再生装置は、受信されたトランスポートパケットの到達時刻を計測する受信時刻計測手段と、前記受信時刻計測手段によって計測された到達時刻を示す到達時刻情報を、前記トランスポートパケットに付加する時刻情報付加手段と、前記トランスポートパケットからピクチャ種別を解析するピクチャ種別解析手段と、前記ピクチャ種別解析手段により解析されたピクチャ種別を示すピクチャ種別情報を前記トランスポートパケットに付加する種別情報付加手段と、到達時刻情報及びピクチャ種別情報が付加されたトランスポートパケットを記録媒体に記録する記録手段と、前記記録媒体から到着時刻情報及びピクチャ種別情報が付加されたトランスポートパケットを読み出す読み出し手段と、前記読み出し手段により読み出されたトランスポートパケットに付加されているピクチャ種別情報に基づいて再生するトランスポートパケットのみを選択して出力する選択手段と、前記選択手段により選択されたトランスポートパケットに付加されている到達時刻情報を解析して、出力する時刻情報解析手段と、前記選択手段から出力されたトランスポートパケットを一時的に保持するバッファ手段と、前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段とを備えるデジタル映像信号記録再生装置であって、前記選択手段は、前記ピクチャー種別情報が示すピクチャ種別がＩピクチャであるトランスポートパケットとＰピクチャであるトランスポートパケットとを選択して出力するとともに、前記再生速度制御手段は、初期化された時刻から計測を開始した現在時刻を計測する現在時刻計測手段を含むことを特徴としている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、請求項４に係るデジタル映像信号記録再生装置は、受信されたトランスポートパケットの到達時刻を示す到達時刻情報及びトランスポートストリームのピクチャ種別を示すピクチャ種別情報が付加されたトランスポートパケットを記録媒体から読み出す読み出し手段と、前記読み出し手段により読み出されたトランスポートパケットに付加されているピクチャ種別情報に基づいて再生するトランスポートパケットのみを選択して出力する選択手段と、前記選択手段により選択されたトランスポートパケットに付加されている到達時刻情報を解析して、出力する時刻情報解析手段と、前記選択手段から出力されたトランスポートパケットを一時的に保持するバッファ手段と、前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段とを備えるデジタル映像信号再生装置であって、前記選択手段は、前記ピクチャー種別情報が示すピクチャ種別がＩピクチャであるトランスポートパケットのみを選択して出力するとともに、前記再生速度制御手段が、初期化された時刻から計測を開始した現在時刻を計測する現在時刻計測手段を含むことを特徴としている。
【手続補正６】
【補正対象書類名】明細書
【補正対象項目名】００１０
【補正方法】変更
【補正の内容】
【００１０】
請求項５に係るデジタル映像信号記録再生装置は、受信されたトランスポートパケットの到達時刻を示す到達時刻情報及びトランスポートストリームのピクチャ種別を示すピクチャ種別情報が付加されたトランスポートパケットを記録媒体から読み出す読み出し手段と、前記読み出し手段により読み出されたトランスポートパケットに付加されているピクチャ種別情報に基づいて再生するトランスポートパケットのみを選択して出力する選択手段と、前記選択手段により選択されたトランスポートパケットに付加されている到達時刻情報を解析して、出力する時刻情報解析手段と、前記選択手段から出力されたトランスポートパケットを一時的に保持するバッファ手段と、前記時刻情報解析手段から出力された到達時刻情報に応じた時刻に、この到達時刻情報を付加しているトランスポートパケットを前記バッファ手段から出力させて、トランスポートパケットの再生時刻を制御する再生速度制御手段とを備えるデジタル映像信号再生装置であって、前記選択手段は、前記ピクチャー種別情報が示すピクチャ種別がＩピクチャであるトランスポートパケットとＰピクチャであるトランスポートパケットとを選択して出力するとともに、前記再生速度制御手段が、初期化された時刻から計測を開始した現在時刻を計測する現在時刻計測手段を含むことを特徴としている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
請求項１のデジタル映像信号記録再生装置によれば、選択手段がＩピクチャであるトランスポートパケットのみを選択して出力するとともに、再生速度制御手段は初期化された時刻から計測を開始した現在時刻を計測する現在時刻計測手段を含むようにしたので、早送り再生時に、トランスポートストリームが正確な早送り再生速度で出力することができる。
【手続補正２１】
【補正対象書類名】明細書
【補正対象項目名】００２５
【補正方法】変更
【補正の内容】
【００２５】
また、請求項２のデジタル映像信号記録再生装置によれば、選択手段がＩピクチャであるトランスポートパケットとＰピクチャであるトランスポートパケットとを選択して出力するとともに、再生速度制御手段は初期化された時刻から計測を開始した現在時刻を計測する現在時刻計測手段を含むようにしたので、早送り再生時に、トランスポートストリームが正確な早送り再生速度で出力することができる。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
また、請求項４のデジタル映像信号記録再生装置によれば、選択手段がＩピクチャであるトランスポートパケットのみを選択して出力するとともに、再生速度制御手段は初期化された時刻から計測を開始した現在時刻を計測する現在時刻計測手段を含むようにしたので、早送り再生時に、トランスポートストリームが正確な早送り再生速度で出力することができる。
【手続補正２４】
【補正対象書類名】明細書
【補正対象項目名】００２８
【補正方法】変更
【補正の内容】
【００２８】
請求項５のデジタル映像信号記録装置によれば、選択手段がＩピクチャであるトランスポートパケットとＰピクチャであるトランスポートパケットとを選択して出力するとともに、再生速度制御手段は初期化された時刻から計測を開始した現在時刻を計測する現在時刻計測手段を含むようにしたので、早送り再生時に、トランスポートストリームが正確な早送り再生速度で出力することができる。
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】